(57)【要約】【課題】  集光レンズ体の倍率誤差に起因する物像間距離の調整の容易化を図った画像読取装置を提供する。【解決手段】  原稿に対して照射された光の反射光を集光レンズ体１５で集光し、ＣＣＤセンサ１６で受光して原稿の画像を読み取るスキャナユニットを備える。ユニットフレーム１１に、ＣＣＤセンサ１６が実装された回路基板２２が取り付けられる。ユニットフレーム１１と回路基板２２との間に介装される集光レンズ体１５における物像間距離調整用のスペーサ２５の枚数を表示するための調整量マーク２６が、集光レンズ体１５の外周面に備えられる。【選択図】    図４
2008278139.tif 000002
【特許請求の範囲】
【請求項１】
原稿に対して照射された光の反射光を集光レンズ体で集光し、イメージセンサで受光して原稿の画像を読み取る走査体を備え、該走査体のフレームに、イメージセンサが実装された回路基板が取り付けられてなる画像読取装置において、
前記走査体のフレームと前記回路基板との間に介装される前記集光レンズ体における物像間距離調整用のスペーサ量を表示するための調整量マークが、集光レンズ体の外周面に備えられていることを特徴とする画像読取装置。
【請求項２】
請求項１に記載の画像読取装置において、
前記調整量マークは、前記スペーサ量をマーキングされた数もしくはマーキングされた数字で表示することを特徴とする画像読取装置。
【請求項３】
請求項１または請求項２に記載の画像読取装置において、
前記スペーサ量を調整するためのスペーサは、単位厚みを有する複数枚のスペーサ、もしくは厚みの異なる複数種のスペーサを有してなることを特徴とする画像読取装置。
【請求項４】
請求項１ないし請求項３のいずれかに記載の画像読取装置において、
前記調整量マークが、前記走査体のフレームに集光レンズ体を取り付ける際における集光レンズ体の姿勢を決めるための姿勢位置決めマーク位置に対応して備えられていることを特徴とする画像読取装置。
【発明の詳細な説明】
【技術分野】
【０００１】
本発明は、集光レンズ体の倍率誤差に起因する調整の容易化を図った画像読取装置に関するものである。
【背景技術】
【０００２】
画像読取装置としてのＰＰＦ（プレーンペーパーファクシミリ）や１キャリタイプのＦＢＳ（フラットベットスキャナ）等に用いられるスキャナユニットは、原稿に対して光を照射する光源体と、原稿で反射された反射光を所望位置に反射させて案内する複数の反射ミラー体と、反射ミラーで案内された反射光を集光するための集光レンズ体と、集光レンズ体で集光された反射光を受光するイメージセンサとしてのＣＣＤセンサ等を備えた構造とされている（例えば、特許文献１や特許文献２参照。）。
【０００３】
そして、集合レンズ体の製造誤差に起因する倍率誤差の調整は、物像間距離で調整を行っていた。そのため、スキャナユニットにおけるスキャナフレームに対する集光レンズ体の取り付けに際しては、集光レンズ体による倍率を合わすために、集光レンズ体を光軸方向に沿って位置調整した後、固定していた。そして次に、集光レンズ体のピントをＣＣＤセンサに合わすために、ＣＣＤセンサが実装された回路基板をスキャナフレームに固定するに際し、スキャナフレームと回路基板との間にスペーサを介装することによって、集光レンズ体からＣＣＤセンサまでの距離を調整していた。
【０００４】
【特許文献１】特開２００５−２１０３３８号公報
【特許文献２】特開２００５−２３６４６５号公報
【発明の開示】
【発明が解決しようとする課題】
【０００５】
しかしながら、集光レンズ体の倍率は位置調整をしてみるか、検査結果を見ないとわからないため、スキャナフレームに対して回路基板を取り付ける際に、介装されるスペーサの枚数を試行錯誤により増減してスペーサによる厚み量、いわゆるスペーサ量を調整し、物像間の距離を調整していた。このため、調整がうまくいかない場合には回路基板の着脱作業を何度も繰り返す必要が生じ、調整に時間がかかるという問題があった。
【０００６】
一方、集光レンズ体の倍率が許容範囲内の良品か、もしくは不良品かの倍率検査が予め行われている。また、集光レンズ体の倍率によって前記スペーサ量も決まってくる。
【０００７】
そこで、本発明は上記点に鑑み、集光レンズ体の倍率検査時の倍率に対応したスペーサ量を集光レンズ体に予め表示しておくことにより、物像間距離の調整の容易化を図った画像読取装置を提供することを目的とする。
【課題を解決するための手段】
【０００８】
上記課題を解決するための画像読取装置の技術的手段は、原稿に対して照射された光の反射光を集光レンズ体で集光し、イメージセンサで受光して原稿の画像を読み取る走査体を備え、該走査体のフレームに、イメージセンサが実装された回路基板が取り付けられてなる画像読取装置において、前記走査体のフレームと前記回路基板との間に介装される前記集光レンズ体における物像間距離調整用のスペーサ量を表示するための調整量マークが、集光レンズ体の外周面に備えられている点にある。
【０００９】
また、前記調整量マークは、前記スペーサ量をマーキングされた数もしくはマーキングされた数字で表示する構造としてもよい。
【００１０】
さらに、前記スペーサ量を調整するためのスペーサは、単位厚みを有する複数枚のスペーサ、もしくは厚みの異なる複数種のスペーサを有してなる構造としてもよい。
【００１１】
また、前記調整量マークが、前記走査体のフレームに集光レンズ体を取り付ける際における集光レンズ体の姿勢を決めるための姿勢位置決めマーク位置に対応して備えられている構造としてもよい。
【発明の効果】
【００１２】
以上のように、本発明の画像読取装置によれば、走査体のフレームと回路基板との間に介装される集光レンズ体における物像間距離調整用のスペーサ量を表示するための調整量マークが、集光レンズ体の外周面に備えられているため、集光レンズ体に備えられた調整量マークで表示されたスペーサ量に応じたスペーサを介装した状態で、走査体のフレームにイメージセンサが実装された回路基板を取り付けることによって、集光レンズ体の物像間距離の調整が行え、物像間距離の調整の容易化が図れる利点がある。
【００１３】
また、調整量マークは、スペーサ量をマーキングされた数もしくはマーキングされた数字で表示する構造とすれば、マーキングの数もしくは数字に対応した枚数のスペーサ、もしくは、その数もしくは数字に対応した厚みを有するスペーサを介装すればよく、介装する量が容易に判断できる利点がある。
【００１４】
さらに、スペーサ量を調整するためのスペーサは、単位厚みを有する複数枚のスペーサ、もしくは厚みの異なる複数種のスペーサを有してなる構造とすれば、スペーサ量に応じて、単位厚みのスペーサを所望枚数組み合わせて、もしくはスペーサ量に応じた厚みのスペーサの選択して、あるいはスペーサ量に応じて所望厚みになるようにスペーサを組み合わせて介装すればよく、介装する量を容易に調整できる利点がある。
【００１５】
また、調整量マークが、走査体のフレームに集光レンズ体を取り付ける際における集光レンズ体の姿勢を決めるための姿勢位置決めマーク位置に対応して備えられている構造とすれば、調整量マークを集光レンズ体を取り付ける際の姿勢位置決めマークに兼用できる利点がある。
【発明を実施するための最良の形態】
【００１６】
以下、本発明の第１の実施形態にかかる画像読取装置を図面に基づいて説明すると、図１に示すように、画像読取装置１は、原稿を載置するプラテンガラス２が配設された読取載置台３と、原稿をプラテンガラス２上に押さえる原稿押さえカバー４とを備えている。
【００１７】
前記読取載置台３には、原稿の読取り開始等を入力するための操作パネルが設けられ、図示省略の装置本体には、記録用紙に画像を記録する画像記録部、画像を電送するための送信部、および読み取った画像を記録するための記録用紙を供給する給紙カセット等を備え、コピー・ファクシミリ複合機として機能するように構成されている。
【００１８】
また、画像読取装置１は、ＦＢＳ（フラットベッドスキャナー）方式およびＡＤＦ（オートドキュメントフィーダー）方式での画像読み取りが可能とされており、ＦＢＳ方式で原稿を読み取る場合には、原稿押さえカバー４を開いて読取載置台３のプラテンガラス２上に原稿を載置し、原稿押さえカバー４を閉じた状態で読取載置台３内に備えられた走査体としてのスキャナユニット５を走査することにより画像読み取りが行われ、ＡＤＦ方式で原稿を読み取る場合には、原稿押さえカバー４を閉じた状態で一側部に備えられた自動原稿供給機構６により原稿が自動搬送され、その搬送経路７の途中において読取載置台３内のスキャナユニット５により画像読み取りが行われる構造とされている。
【００１９】
即ち、原稿押さえカバー４に備えられた原稿載置トレイ８上に載置された原稿は、自動原稿供給機構６によって搬送経路７に送り込まれ、Ｕターンするように反転してスキャナユニット５の読み取り位置に至り、該読み取り位置を通過する際にスキャナユニット５により原稿の画像が読み取られて、原稿載置トレイ８の下方の原稿排出トレイ９上へ排出される構造とされている。
【００２０】
前記スキャナユニット５は、読取載置台３内に装備されており、原稿へ光を照射し、該原稿からの反射光を電気信号に変換して画像読み取りを行う所謂縮小光学系のＣＣＤ読取ユニットであり、図２や図３に示すように、その筐体を構成するユニットフレーム１１に、光を照射する管状の光源１３、原稿からの反射光Ｒを案内する複数の反射ミラー１４、各反射ミラー１４によって案内された反射光Ｒを集光させる集光レンズ体１５および集光レンズ体１５からの光を受けるイメージセンサとしてのＣＣＤセンサ１６が備えられている。
【００２１】
ユニットフレーム１１の一端側には、ロッド案内ブッシュ１７が一対設けられており、該ロッド案内ブッシュ１７より下方の位置には、図示省略のベルト固定部が設けられている。各ロッド案内ブッシュ１７は、読取載置台３内に設けられた案内ロッド１９を挿通するためのものであり、ユニットフレーム１１から側方に突出して水平方向にロッド挿通孔１７ａがそれぞれ走査方向に所定間隔を有して同一軸線上に形成された構造とされている。これにより、スキャナユニット５は案内ロッド１９に沿って移動可能に構成されている。
【００２２】
また、前記ベルト固定部は、読取載置台３内に設けられたベルト駆動機構のベルト２０に固定され、ベルト駆動機構の作動によるベルト２０の回走に伴って、スキャナユニット５が案内ロッド１９に沿って移動操作されるように構成されている。なお、スキャナユニット５の他端側は、読取載置台３に備えられた図示省略のガイドレール上を摺動自在に支持される構造とされている。
【００２３】
ユニットフレーム１１の上面には、光源１３が幅方向に沿って設けられ、この光源１３の近くには、光源１３に沿って略平行に開口１１ａが設けられている。そして、原稿からの反射光Ｒが、開口１１ａからユニットフレーム１１内に進入するように構成されている。そして、ユニットフレーム１１内に進入した反射光Ｒは、適宜配設された反射ミラー１４により順次反射されて集光レンズ体１５へ導かれる。このような反射ミラー１４の配置はＣＣＤセンサ１６に反射光Ｒを結像するために必要な光路長により適宜設定される。
【００２４】
集光レンズ体１５に導かれた反射光ＲはＣＣＤセンサ１６に結像されて、ＣＣＤセンサ１６により電気信号に変換されて出力される。そしてこの電気信号に基づいて原稿の画像が記録部により記録用紙に記録され、または送信部により送信される。なお、これら記録部および送信部は公知の構成を適宜採用すればよい。
【００２５】
前記ＣＣＤセンサ１６は所定の回路が形成された回路基板２２に実装されており、この回路基板２２がユニットフレーム１１に固定ネジ２３により着脱自在に取り付けられる構造とされている。
【００２６】
この際、本実施形態においては、集光レンズ体１５の倍率に応じて、物像間距離を調整すべく、ユニットフレーム１１と回路基板２２との間にスペーサ２５を介装している。スペーサ２５は、図４や図５に示されるように、回路基板２２と同幅を有する矩形状とされ、中央部にＣＣＤセンサ１６が遊挿される遊挿孔２５ａが形成されると共に、該遊挿孔２５ａの両側部には、回路基板２２の固定ネジ２３が挿通されるネジ挿通孔２２ａと対応した位置に、同様のネジ挿通孔２５ｂが形成されている。
【００２７】
また、スペーサ２５は単位厚みを有した構造とされており、例えば、本実施形態では厚みが１ｍｍのスペーサ２５とされ、予め、複数枚が準備されている。
【００２８】
図４および図５に示すように、集光レンズ体１５の所定の位置には、物像間距離調整用のために介装されるスペーサ２５の量、いわゆるスペーサ量を表示するための調整量マーク２６が表示されている。この調整量マーク２６は、図６ないし図８に示されるように、スペーサ量、即ち介装に必要とされるスペーサ２５の枚数を四角形のマーキングの数で表示した構造とされている。なお、このような調整量マーク２６は、製品検査における集光レンズ体１５の倍率検査時の倍率によって算出されたスペーサ量が表示される。また、スペーサ２５が不要の場合には、調整量マーク２６として、例えば、×印がマーキングされる。
【００２９】
即ち、図４や図５に示されるように、調整量マーク２６のマーキングの数が１の場合は、１枚（１ｍｍ）のスペーサ２５が介装に必要とされ、図６に示されるように、調整量マーク２６のマーキングの数が２の場合は、２枚（２ｍｍ）のスペーサ２５が介装に必要とされ、図７に示されるように、調整量マーク２６のマーキングの数が３の場合は、３枚（３ｍｍ）のスペーサ２５が介装に必要とされ、図８に示されるように、調整量マーク２６のマーキングの数が４の場合は、４枚（４ｍｍ）のスペーサ２５が介装に必要とされる。
【００３０】
また、集光レンズ体１５は、そのレンズ特性により画像が最適に表示される姿勢があり、図３や図４に示されるように、ユニットフレーム１１のレンズ収容部１１ｂに集光レンズ体１５を収容して、押さえ金具２８および固定ネジ２９により固定した組み付け状態で、最適な画像が得られる姿勢となるように、図４に示されるように、集光レンズ体１５の外周面における上面位置に対応して、調整量マーク２６が表示され、集光レンズ体１５の姿勢を決めるための姿勢位置決めマークとしての機能を兼用した構造とされている。
【００３１】
一方、ユニットフレーム１１にも、レンズ収容部１１ｂの近傍位置に対応して位置決め用の位置決めマーク部１１ｃが備えられており、ユニットフレーム１１のレンズ収容部１１ｂに集光レンズ体１５を取り付ける際には、集光レンズ体１５の調整量マーク２６とユニットフレーム１１の位置決めマーク部１１ｃとを位置合わせして、集光レンズ体１５を取り付ければ、集光レンズ体１５の最適な取り付け姿勢が得られるように構成されている。なお、図６ないし図８に示される集光レンズ体１５においては、集光レンズ体１５の光軸方向に多くのマーキングが表示された位置が姿勢位置決めマークの位置に対応する構造とされている。
【００３２】
本実施形態は以上のように構成されており、集光レンズ体１５の製造誤差等に起因する倍率誤差の調整における物像間距離の調整に際しては、例えば、ユニットフレーム１１のレンズ収容部１１ｂ内に集光レンズ体１５を収容し、調整量マーク２６と位置決めマーク部１１ｃを位置合わせした状態で、集光レンズ体１５による倍率を合わすために、集光レンズ体１５を光軸方向に沿って位置調整した後、固定し、次に、集光レンズ体１５に表示された調整量マーク２６のマーキング数に応じた枚数のスペーサ２５を、ユニットフレーム１１と回路基板２２との間に介装した状態で、回路基板２２をユニットフレーム１１に固定すれば、集光レンズ体１５の物像間距離の調整が完了する。従って、従来のようにスペーサの枚数を調整しながら試行錯誤を繰り返す必要がなく、調整時間を短縮でき、物像間距離の調整の容易化が図れる利点がある。
【００３３】
また、介装されるスペーサ２５の枚数も、集光レンズ体１５に表示された調整量マーク２６のマーキングの数により容易に視認でき、介装する枚数が容易に判断でき、調整時の組み付け間違いも有効に防止できる利点がある。
【００３４】
さらに、集光レンズ体１５を取り付ける際の姿勢位置決めマークの位置に対応して調整量マーク２６を表示しているため、姿勢位置決めマークを別途設ける必要がなく、調整量マーク２６を姿勢位置決めマークに兼用できる利点がある。
【００３５】
図９ないし図１１は第２の実施形態にかかる集光レンズ体１５を示しており、その他の構造は前記第１の実施形態と同様に構成されている。
【００３６】
即ち、第１の実施形態によれば、集光レンズ体１５に備えられた調整量マーク２６は、スペーサ量をマーキングの数で示しているが、本実施形態によれば、スペーサ量、いわゆるスペーサ２５の枚数を数字によるマーキングで表示した構造とされている。
【００３７】
従って、本実施形態においても第１の実施形態と同様の効果が得られる。
【００３８】
図１２ないし図１４は第３の実施形態にかかるスペーサ２５を示しており、その他の構造は前記第１の実施形態、もしくは前記第２の実施形態と同様に構成されている。
【００３９】
即ち、第１の実施形態もしくは第２の実施形態によれば、スペーサ２５として単位厚みを有するものを複数枚備えた構造としているが、本実施形態によれば、スペーサ２５の厚みが異なる複数種のものが予め備えられた構造とされている。例えば、厚みが１ｍｍ、２ｍｍ、３ｍｍ、４ｍｍ等のスペーサ２５が備えられ、スペーサ２５の一部にそれらの厚みを識別するための識別マーク３１が数字等により表示されている。
【００４０】
従って、本実施形態によれば、集光レンズ体１５に表示された調整量マーク２６のスペーサ量に応じた所望厚みになるように対応するスペーサ２５を選択し、もしくは複数枚のスペーサ２５を組み合わせて介装すればよく、介装する量を容易に調整できる利点や、その他の第１の実施形態や第２の実施形態と同様の利点を奏する。
【００４１】
なお、上記各実施形態では、画像読取装置１はコピー・ファクシミリ複合機とされているが、ＰＰＦ等であってもよく、何ら上記実施形態に限られない。
【００４２】
また、スペーサ２５の単位厚みは１ｍｍに限らず、０．５ｍｍ等であってもよく、さらには、異なる厚みの複数種のスペーサ２５においても、１ｍｍ間隔に限らず、０．５ｍｍ間隔等であってもよく、必要に応じて適宜採用すればよい。
【図面の簡単な説明】
【００４３】
【図１】本発明の第１の実施形態にかかる画像読取装置の概略説明図である。
【図２】スキャナユニットの斜視図である。
【図３】スキャナユニットの断面側面図である。
【図４】スキャナユニットの要部分解説明図である。
【図５】スキャナユニットの要部分解斜視図である。
【図６】集光レンズ体の平面図である。
【図７】集光レンズ体の平面図である。
【図８】集光レンズ体の平面図である。
【図９】第２の実施形態にかかる集光レンズ体の平面図である。
【図１０】第２の実施形態にかかる集光レンズ体の平面図である。
【図１１】第２の実施形態にかかる集光レンズ体の平面図である。
【図１２】第３の実施形態にかかるスペーサの斜視図である。
【図１３】第３の実施形態にかかるスペーサの斜視図である。
【図１４】第３の実施形態にかかるスペーサの斜視図である。
【符号の説明】
【００４４】
１  画像読取装置
５  スキャナユニット
１１  ユニットフレーム
１３  光源
１４  反射ミラー
１５  集光レンズ体
１６  ＣＣＤセンサ
２２  回路基板
２５  スペーサ
２６  調整量マーク
【図１】
2008278139.tif 000003
【図２】
2008278139.tif 000004
【図３】
2008278139.tif 000005
【図４】
2008278139.tif 000006
【図５】
2008278139.tif 000007
【図６】
2008278139.tif 000008
【図７】
2008278139.tif 000009
【図８】
2008278139.tif 000010
【図９】
2008278139.tif 000011
【図１０】
2008278139.tif 000012
【図１１】
2008278139.tif 000013
【図１２】
2008278139.tif 000014
【図１３】
2008278139.tif 000015
【図１４】
2008278139.tif 000016